(57)【特許請求の範囲】
【請求項１】
物体側より順に正の屈折力を有する第１レンズ群Ｌ１、負の屈折力を有する第２レンズ群Ｌ２、正の屈折力を有する第３レンズ群Ｌ３及び正の屈折力を有する第４レンズ群Ｌ４で構成され、前記第２レンズ群Ｌ２と前記第３レンズ群Ｌ３とを光軸に沿って移動させて変倍を行い、前記第４レンズ群Ｌ４は、物体側より順に正の屈折力を有する前群Ｌ４Ａ、負の屈折力を有する中群Ｌ４Ｂ及び正の屈折力を有する後群Ｌ４Ｃとからなり、前記中群Ｌ４Ｂを光軸に対して略垂直方向に移動させることで、像を光軸に対して略垂直方向に移動させて手ぶれ等で発生した像移動を補正し、前記第４レンズ群Ｌ４の前群Ｌ４Ａは、開口絞りＳＰを含み、開口絞りＳＰよりも物体側に少なくとも２枚の正レンズを含み、開口絞りＳＰよりも像側に少なくとも１枚の正レンズを含み、以下の条件を満足することを特徴とする防振機能を有する大口径望遠ズームレンズ。
（１）０．４５＜ｆ４／ｆＴ＜０．６１
（２）０．４５＜｜β２Ｔ｜２・ｆＷ／ｆＴ＜０．９０
（３）ＦｎｏＴ・ＤＳＰ／ｆＴ＜０．３９
ｆ４：第４レンズ群Ｌ４の焦点距離
ｆＴ：望遠端におけるレンズ全系の焦点距離
β２Ｔ：望遠端の無限遠合焦時の前記第２レンズ群Ｌ２の横倍率
ｆＷ：広角端におけるレンズ全系の焦点距離
ＦｎｏＴ：望遠端の無限遠合焦時の開放Ｆ値
ＤＳＰ：開口絞りＳＰの開放時の口径
【請求項２】
前記第４レンズ群前群Ｌ４Ａの、開口絞りＳＰよりも物体側のレンズ群をＬ４Ａ１とし、前記第４レンズ群前群Ｌ４Ａの、開口絞りＳＰよりも像側のレンズ群をＬ４Ａ２とし、前記第４レンズ群前群Ｌ４Ａの、開口絞りＳＰよりも物体側のレンズ群Ｌ４Ａ１の焦点距離をｆＬ４Ａ１として、以下の条件を満足することを特徴とする防振機能を有する請求項１に記載の大口径望遠ズームレンズ。
（４）０．４０＜ｆＬ４Ａ１／ｆＴ＜１．００
ｆＬ４Ａ１：第４レンズ群前群Ｌ４Ａの開口絞りＳＰよりも物体側のレンズ群Ｌ４Ａ１の焦点距離
【請求項３】
前記第４レンズ群Ｌ４の中群Ｌ４Ｂの焦点距離をｆＬ４Ｂとして、以下の条件を満足することを特徴とする請求項１又は請求項２のいずれかに記載の防振機能を有する大口径望遠ズームレンズ。
（５）０．０８＜｜ｆＬ４Ｂ／ｆＴ｜＜０．１２５
ｆＬ４Ｂ：第４レンズ群中群Ｌ４Ｂの焦点距離
【請求項４】
前記第３レンズ群Ｌ３を光軸に沿って物体側から像側へ移動させることで、無限遠から近距離物体にフォーカシングを行うことを特徴とする、請求項１乃至請求項３のいずれかに記載の防振機能を有する大口径望遠ズームレンズ。
【発明の詳細な説明】
【技術分野】
【０００１】
本発明は、ディジタルカメラ、銀塩カメラ等に用いられるズームレンズに関するもので、特に変倍比が２．４倍程度で、ズーム全域における開放Ｆ値が２．９程度の防振機能を有する大口径望遠ズームレンズに関するものである。
【背景技術】
【０００２】
従来、変倍比が２．４倍以上で、ズーム全域における開放Ｆ値が２．９程度の防振機能を有する大口径望遠ズームレンズとして下記に示す特許文献が開示されている。
【先行技術文献】
【特許文献】
【０００３】
【特許文献１】特開２００２−１６２５６４号公報
【０００４】
【特許文献２】特開２００９−１９８６５６号公報
【０００５】
【特許文献３】特開２００３−０９０９５８号公報
【０００６】
【特許文献４】特開２００９−０８６５３５号公報
【０００７】
【特許文献５】特開２００９−１５６８９３号公報
【０００８】
【特許文献６】特開２０１０−０４４３７２号公報
【発明の概要】
【発明が解決しようとする課題】
【０００９】
特許文献１及び特許文献２には、望遠比が比較的小さいコンパクトな光学系が開示されているが、特許文献１及び特許文献２における実施例は、変倍時に移動するレンズ群が３つあることから変倍機構が複雑になるという課題があった。
【００１０】
また、特許文献３、特許文献４、特許文献５及び特許文献６のレンズ光学系は、望遠比が大きく、望遠端の焦点距離に対する光学系の全長短縮が課題であった。
【００１１】
本発明は、上記課題を解決し、変倍比が２．４倍程度で、ズーム全域における開放Ｆ値が２．９程度で、変倍時に移動するレンズ群を少なくすることで機構を簡素化することができ、光学性能が良好で、レンズ全長が短くコンパクトな、防振機能を有する大口径望遠ズームレンズを提供することを目的とする。
【課題を解決するための手段】
【００１２】
上記課題を解決するため、本発明に係る第１の発明は、物体側より順に正の屈折力を有する第１レンズ群Ｌ１、負の屈折力を有する第２レンズ群Ｌ２、正の屈折力を有する第３レンズ群Ｌ３及び正の屈折力を有する第４レンズ群Ｌ４で構成され、前記第２レンズ群Ｌ２と前記第３レンズ群Ｌ３とを光軸に沿って移動させて変倍を行い、前記第４レンズ群Ｌ４は、物体側より順に正の屈折力を有する前群Ｌ４Ａ、負の屈折力を有する中群Ｌ４Ｂ及び正の屈折力を有する後群Ｌ４Ｃとからなり、前記中群Ｌ４Ｂを光軸に対して略垂直方向に移動させることで、像を光軸に対して略垂直方向に移動させて手ぶれ等で発生した像移動
を補正する、前記第４レンズ群Ｌ４の前群Ｌ４Ａは、開口絞りＳＰを含み、開口絞りＳＰよりも物体側に少なくとも２枚の正レンズを含み、開口絞りＳＰよりも像側に少なくとも１枚の正レンズを含み、以下の条件を満足することを特徴とする防振機能を有する大口径望遠ズームレンズを提供する。
（１）０．４５＜ｆ４／ｆＴ＜０．６１
（２）０．４５＜｜β２Ｔ｜２・ｆＷ／ｆＴ＜０．９０
（３）ＦｎｏＴ・ＤＳＰ／ｆＴ＜０．３９
ｆ４：第４レンズ群Ｌ４の焦点距離
ｆＴ：望遠端におけるレンズ全系の焦点距離
β２Ｔ：望遠端の無限遠合焦時の前記第２レンズ群Ｌ２の横倍率
ｆＷ：広角端におけるレンズ全系の焦点距離
ＦｎｏＴ：望遠端の無限遠合焦時の開放Ｆ値
ＤＳＰ：開口絞りＳＰの開放時の口径
【００１４】
また、本発明に係る第２の発明は、さらに、前記第４レンズ群前群Ｌ４Ａの、開口絞りＳＰよりも物体側のレンズ群をＬ４Ａ１とし、前記第４レンズ群前群Ｌ４Ａの、開口絞りＳＰよりも像側のレンズ群をＬ４Ａ２とし、前記第４レンズ群前群Ｌ４Ａの、開口絞りＳＰよりも物体側のレンズ群Ｌ４Ａ１の焦点距離をｆＬ４Ａ１として、以下の条件を満足することを特徴とする防振機能を有する大口径望遠ズームレンズを提供する。
（４）０．４０＜ｆＬ４Ａ１／ｆＴ＜１．００
ｆＬ４Ａ１：第４レンズ群前群Ｌ４Ａの開口絞りＳＰよりも物体側のレンズ群Ｌ４Ａ１の焦点距離
【００１５】
また、本発明に係る第３の発明は、さらに、前記第４レンズ群Ｌ４の中群Ｌ４Ｂの焦点距離をｆＬ４Ｂとして、以下の条件を満足することを特徴とする防振機能を有する大口径望遠ズームレンズを提供する。
（５）０．０８０＜｜ｆＬ４Ｂ／ｆＴ｜＜０．１２５
ｆＬ４Ｂ：第４レンズ群Ｌ４の中群Ｌ４Ｂの焦点距離
【００１６】
また、本発明に係る第４の発明は、さらに、前記第３レンズ群Ｌ３を光軸に沿って物体側から像側へ移動させることで、無限遠から近距離物体にフォーカシングを行う防振機能を有する大口径望遠ズームレンズを提供する。
【発明の効果】
【００１７】
本発明によれば、ディジタルカメラ、銀塩カメラ等に用いられるズームレンズであって、変倍比が２．４倍程度で、ズーム全域における開放Ｆ値が２．９程度で、変倍時に移動するレンズ群を少なくすることで機構を簡素化することができ、光学性能が良好で、レンズ全長が短くコンパクトな、防振機能を有する大口径望遠ズームレンズを提供することができる。
【図面の簡単な説明】
【００１８】
【図１】実施例１のズームレンズの広角端の無限遠合焦時におけるレンズ断面図
【図２】実施例１のズームレンズの広角端の無限遠合焦時における縦収差図
【図３】実施例１のズームレンズの中間焦点距離の無限遠合焦時における縦収差図
【図４】実施例１のズームレンズの望遠端の無限遠合焦時における縦収差図
【図５】実施例１のズームレンズの広角端の無限遠合焦時における標準状態での横収差図
【図６】実施例１のズームレンズの中間焦点距離の無限遠合焦時における標準状態での横収差図
【図７】実施例１のズームレンズの望遠端の無限遠合焦時における標準状態での横収差図
【図８】実施例１のズームレンズの広角端の無限遠合焦時においてズームレンズが０．１５°傾いた状態で防振させたときの横収差図
【図９】実施例１のズームレンズの中間焦点距離の無限遠合焦時においてズームレンズが０．１５°傾いた状態で防振させたときの横収差図
【図１０】実施例１のズームレンズの望遠端の無限遠合焦時においてズームレンズが０．１５°傾いた状態で防振させたときの横収差図
【図１１】実施例２のズームレンズの広角端の無限遠合焦時におけるレンズ断面図
【図１２】実施例２のズームレンズの広角端の無限遠合焦時における縦収差図
【図１３】実施例２のズームレンズの中間焦点距離の無限遠合焦時における縦収差図
【図１４】実施例２のズームレンズの望遠端の無限遠合焦時における縦収差図
【図１５】実施例２のズームレンズの広角端の無限遠合焦時における標準状態での横収差図
【図１６】実施例２のズームレンズの中間焦点距離の無限遠合焦時における標準状態での横収差図
【図１７】実施例２のズームレンズの望遠端の無限遠合焦時における標準状態での横収差図
【図１８】実施例２のズームレンズの広角端の無限遠合焦時においてズームレンズが０．１５°傾いた状態で防振させたときの横収差図
【図１９】実施例２のズームレンズの中間焦点距離の無限遠合焦時においてズームレンズが０．１５°傾いた状態で防振させたときの横収差図
【図２０】実施例２のズームレンズの望遠端の無限遠合焦時においてズームレンズが０．１５°傾いた状態で防振させたときの横収差図
【図２１】実施例３のズームレンズの広角端の無限遠合焦時におけるレンズ断面図
【図２２】実施例３のズームレンズの広角端の無限遠合焦時における縦収差図
【図２３】実施例３のズームレンズの中間焦点距離の無限遠合焦時における縦収差図
【図２４】実施例３のズームレンズの望遠端の無限遠合焦時における縦収差図
【図２５】実施例３のズームレンズの広角端の無限遠合焦時における標準状態での横収差図
【図２６】実施例３のズームレンズの中間焦点距離の無限遠合焦時における標準状態での横収差図
【図２７】実施例３のズームレンズの望遠端の無限遠合焦時における標準状態での横収差図
【図２８】実施例３のズームレンズの広角端の無限遠合焦時においてズームレンズが０．１５°傾いた状態で防振させたときの横収差図
【図２９】実施例３のズームレンズの中間焦点距離の無限遠合焦時においてズームレンズが０．１５°傾いた状態で防振させたときの横収差図
【図３０】実施例３のズームレンズの望遠端の無限遠合焦時においてズームレンズが０．１５°傾いた状態で防振させたときの横収差図
【図３１】実施例４のズームレンズの広角端の無限遠合焦時におけるレンズ断面図
【図３２】実施例４のズームレンズの広角端の無限遠合焦時における縦収差図
【図３３】実施例４のズームレンズの中間焦点距離の無限遠合焦時における縦収差図
【図３４】実施例４のズームレンズの望遠端の無限遠合焦時における縦収差図
【図３５】実施例４のズームレンズの広角端の無限遠合焦時における標準状態での横収差図
【図３６】実施例４のズームレンズの中間焦点距離の無限遠合焦時における標準状態での横収差図
【図３７】実施例４のズームレンズの望遠端の無限遠合焦時における標準状態での横収差図
【図３８】実施例４のズームレンズの広角端の無限遠合焦時においてズームレンズが０．１５°傾いた状態で防振させたときの横収差図
【図３９】実施例４のズームレンズの中間焦点距離の無限遠合焦時においてズームレンズが０．１５°傾いた状態で防振させたときの横収差図
【図４０】実施例４のズームレンズの望遠端の無限遠合焦時においてズームレンズが０．１５°傾いた状態で防振させたときの横収差図
【図４１】実施例５のズームレンズの広角端の無限遠合焦時におけるレンズ断面図
【図４２】実施例５のズームレンズの広角端の無限遠合焦時における縦収差図
【図４３】実施例５のズームレンズの中間焦点距離の無限遠合焦時における縦収差図
【図４４】実施例５のズームレンズの望遠端の無限遠合焦時における縦収差図
【図４５】実施例５のズームレンズの広角端の無限遠合焦時における標準状態での横収差図
【図４６】実施例５のズームレンズの中間焦点距離の無限遠合焦時における標準状態での横収差図
【図４７】実施例５のズームレンズの望遠端の無限遠合焦時における標準状態での横収差図
【図４８】実施例５のズームレンズの広角端の無限遠合焦時においてズームレンズが０．１５°傾いた状態で防振させたときの横収差図
【図４９】実施例５のズームレンズの中間焦点距離の無限遠合焦時においてズームレンズが０．１５°傾いた状態で防振させたときの横収差図
【図５０】実施例５のズームレンズの望遠端の無限遠合焦時においてズームレンズが０．１５°傾いた状態で防振させたときの横収差図
【発明を実施するための形態】
【００１９】
本発明の防振機能を有する大口径望遠ズームレンズは、物体側より順に正の屈折力を有する第１レンズ群Ｌ１、負の屈折力を有する第２レンズ群Ｌ２、正の屈折力を有する第３レンズ群Ｌ３及び正の屈折力を有する第４レンズ群Ｌ４で構成され、前記第２レンズ群Ｌ２と前記第３レンズ群Ｌ３とを光軸に沿って移動させて変倍を行う。このように、第２レンズ群Ｌ２と第３レンズ群Ｌ３の２つのレンズ群だけを移動させるので、変倍機構を簡素化することが可能になる。
【００２０】
さらに、前記第４レンズ群Ｌ４は、物体側より順に正の屈折力を有する前群Ｌ４Ａ、負の屈折力を有する中群Ｌ４Ｂ及び正の屈折力を有する後群Ｌ４Ｃとからなり、前記中群Ｌ４Ｂを光軸に対して略垂直方向に移動させることで、像を光軸に対して略垂直方向に移動させる。これにより、撮影者のズームレンズへの手振れ等による影響を補正する。
【００２１】
また、本発明の防振機能を有する大口径望遠ズームレンズの光学系では、以下の条件を満足することが望ましい。
（１）０．４５＜ｆ４／ｆＴ＜０．６１
ｆ４：第４レンズ群Ｌ４の焦点距離
ｆＴ：望遠端におけるレンズ全系の焦点距離
【００２２】
条件式（１）は、第４レンズ群Ｌ４の焦点距離と望遠端でのレンズ全系の焦点距離との比率を規定するものである。第４レンズ群Ｌ４は、リレーレンズもしくはマスターレンズと呼ばれている群で、略アフォーカルな光線を結像させるレンズ群であり、第４レンズ群Ｌ４の焦点距離がレンズ全長のコンパクト化に果たす役割は大きい。
【００２３】
条件式（１）の上限値を越えると、望遠端でのズームレンズ全系の焦点距離に対して第４レンズ群Ｌ４の焦点距離が相対的に長くなり、レンズ全長の大型化を招いてしまう。
【００２４】
条件式（１）の下限値を越えると、望遠端でのレンズ全系の焦点距離に対して、第４レンズ群Ｌ４の焦点距離が相対的に短くなり、レンズ全長のコンパクト化には有利であるが、非点収差がアンダーとなり、良好な収差補正が困難となる。また、軸外光線の主光線がレンズの外周近くを通るため、周辺光量の確保が困難となる。
【００２５】
また、本発明の防振機能を有する大口径望遠ズームレンズの光学系では、さらに以下の条件を満足することが望ましい。
（２）０．４５＜｜β２Ｔ｜２・ｆＷ／ｆＴ＜０．９０
β２Ｔ：望遠端の無限遠合焦時の前記第２レンズ群Ｌ２の横倍率
ｆＷ：広角端におけるレンズ全系の焦点距離
【００２６】
条件式（２）は、望遠端の無限遠合焦時の前記第２レンズ群Ｌ２の縦倍率とズーム比に関する式であり、バリエータである第２レンズ群Ｌ２について変倍時に適切な倍率負担となるような条件を示すものである。
【００２７】
本発明では、第１レンズ群Ｌ１から第３レンズ群Ｌ３までの合成焦点距離は、完全なアフォーカルではないが、略アフォーカルとみなすことができるので、第１〜３レンズ群がアフォーカルになっている場合の、次の古典的４群ズームレンズのパワー配置の式（Ａ）が成り立つと考えてよい。
（Ａ）ｆＴ＝ｆ１・（｜β２Ｔ｜／ｆ３）・ｆ４
ｆ１：第１レンズ群Ｌ１の焦点距離
ｆ３：第３レンズ群Ｌ３の焦点距離
【００２８】
この式（Ａ）に基づいて、前記条件式（２）の説明をおこなう。第１レンズ群Ｌ１は、収差に最も影響するレンズ群であり、また第４レンズ群Ｌ４の焦点距離はレンズ全長に非常に大きな影響を及ぼすことから、式（Ａ）のｆ１とｆ４を固定として｜β２Ｔ｜／ｆ３の部分に注目する。
【００２９】
条件式（２）の上限値を越えると、第２レンズ群Ｌ２の変倍時の倍率負担が大きくなる。したがって、式（Ａ）において、望遠端の焦点距離を同じに保つには、第３レンズ群Ｌ３の焦点距離ｆ３を長くすることになる。しかしながら、第３レンズ群Ｌ３の焦点距離ｆ３を長くし、本発明のように第３レンズ群Ｌ３をフォーカシングに使用する場合、収差補正には有利となるが、その一方でフォーカシングの移動量を大きく取らなければならず、レンズ全長の大型化を招くこととなってしまう。
【００３０】
条件式（２）の下限値を越えると、第２レンズ群Ｌ２の倍率負担が小さくなる。このような場合には望遠端の焦点距離を同じに保つため、第３レンズ群Ｌ３の焦点距離ｆ３を短くしなければならず、結果として、球面収差の発生を避けることが困難となる。
【００３１】
また、本発明の防振機能を有する大口径望遠ズームレンズにおいて、第４レンズ群Ｌ４の前群Ｌ４Ａが、開口絞りＳＰを含み、開口絞りＳＰよりも物体側に少なくとも２枚の正レンズを含むことで、球面収差の発生を抑えながら開口絞りＳＰの口径を小さくすることができる。
【００３２】
また、開口絞りＳＰよりも像側に少なくとも１枚の正レンズを含むことで、第４レンズ群Ｌ４の中群Ｌ４Ｂの口径を小さくすることができるので、防振レンズ群の小型化が可能になり、レンズ機構をコンパクトにすることができる。
【００３３】
また、本発明の防振機能を有する大口径望遠ズームレンズの光学系では、さらに以下の条件を満足することが望ましい。
（３）ＦｎｏＴ・ＤＳＰ／ｆＴ＜０．３９
ＦｎｏＴ：望遠端の無限遠合焦時の開放Ｆ値
ＤＳＰ：開口絞りＳＰの開放時の口径
【００３４】
条件式（３）は、望遠端の無限遠合焦時のＦ値光束と開口絞りＳＰの口径との関係を規定するものである。
【００３５】
条件式（３）の上限値を越えると、開口絞りＳＰの開放時の口径が大きくなりすぎて、絞りユニットの大型化を招き、レンズ製品外径の増大の原因となる。さらに、開口絞りＳＰの開放時の口径が大きすぎると最少絞りまでの絞り羽の駆動量が大きくなるので、絞り込みに時間がかかり、連写撮影時の秒間撮影コマ数を増やすことが困難となる。
【００３６】
また、本発明の防振機能を有する大口径望遠ズームレンズにおいて、第４レンズ群前群Ｌ４Ａの、開口絞りＳＰよりも物体側のレンズ群をＬ４Ａ１とし、前記第４レンズ群前群Ｌ４Ａの、開口絞りＳＰよりも像側のレンズ群をＬ４Ａ２とし、前記第４レンズ群前群Ｌ４Ａの、開口絞りＳＰよりも物体側のレンズ群Ｌ４Ａ１の焦点距離をｆＬ４Ａ１として、ｆＬ４Ａ１が以下の条件を満足することが望ましい。
（４）０．４０＜ｆＬ４Ａ１／ｆＴ＜１．００
ｆＬ４Ａ１：第４レンズ群前群Ｌ４Ａの開口絞りＳＰよりも物体側のレンズ群Ｌ４Ａ１の焦点距離
【００３７】
条件式（４）は、望遠端でのレンズ全系の焦点距離と第４レンズ群前群Ｌ４Ａの開口絞りＳＰよりも物体側のレンズ群Ｌ４Ａ１の焦点距離の比率を規定するものである。
【００３８】
条件式（４）の上限値を越えると、第４レンズ群前群Ｌ４Ａの開口絞りＳＰよりも物体側のレンズ群Ｌ４Ａ１の屈折力が十分とは言えず  開口絞りＳＰに入射する光線が高いままとなり、開口絞りＳＰの開放時の口径が大きくなりすぎて、絞りユニットの大型化を招き、レンズ製品外径の増大の原因となる。
【００３９】
条件式（４）の下限値を越えると、第４レンズ群前群Ｌ４Ａの開口絞りＳＰよりも物体側のレンズ群Ｌ４Ａ１の焦点距離が短くなりすぎて、球面収差がアンダーになり、良好な光学性能を確保することが困難となる。
【００４０】
また、本発明の防振機能を有する大口径望遠ズームレンズにおいて、前記第４レンズ群Ｌ４の中群Ｌ４Ｂの焦点距離をｆＬ４Ｂとして、以下の条件を満足することが望ましい。
（５）０．０８０＜｜ｆＬ４Ｂ／ｆＴ｜＜０．１２５
ｆＬ４Ｂ：第４レンズ群Ｌ４の中群Ｌ４Ｂの焦点距離
【００４１】
条件式（５）は、第４レンズ群Ｌ４における中群Ｌ４Ｂの焦点距離と望遠端でのレンズ全系の焦点距離の比率を規定するものである。
【００４２】
条件式（５）の上限値を越えると、第４レンズ群Ｌ４における中群Ｌ４Ｂの屈折力が相対的に弱くなり、望遠側での十分な手ぶれ補正効果を得るには、第４レンズ群Ｌ４における中群Ｌ４Ｂを光軸と略垂直方向に大きく動かさなければならず、ひいては手ぶれ補正ユニットの大型化を招き、レンズ製品外径の増大の原因となる。
【００４３】
条件式（５）の下限値を越えると、第４レンズ群Ｌ４における中群Ｌ４Ｂの屈折力が相対的に強くなり、望遠側での十分な手ぶれ補正効果を得られるが、望遠側での非点収差の良好な補正が困難になる。
【００４４】
また、本発明の防振機能を有する大口径望遠ズームレンズにおいて、第３レンズ群Ｌ３を光軸に沿って物体側から像側へ移動させることで、無限遠から近距離物体にフォーカシングを行うことが望ましい。
【００４５】
第３レンズ群Ｌ３はコンペンセーターであるため、レンズ群の構成枚数を少なくできるので、軽量にすることができ、フォーカシングに利用することで、迅速な合焦が可能となる。
【００４６】
以下に、本発明の防振機能を有する大口径望遠ズームレンズに係る数値実施例１乃至数値実施例５を示す。
【００４７】
各数値実施例において、レンズ諸元中の番号は物体側からのレンズの面番号、ｒはレンズ面の曲率半径、ｄはレンズ面間隔、ｎｄはｄ線の屈折率、ｖｄはｄ線のアッベ数、有効半径は光線高を示す。また、Ｂｆはバックフォーカス、物面の距離は被写体からレンズ第１面までの距離を示す。図中のｄ線、ｇ線、Ｃ線はそれぞれの波長の光に対する収差であり、ΔＳはサジタル像面、ΔＭはメリジオナル像面を示す。
【実施例１】
【００４８】
（数値実施例１）
［レンズ諸元］
ｒ          ｄ        ｎｄ       νｄ     有効半径
[0] 物面              ∞       可変
[1]             297.3388     3.5000    1.80610      33.26     54.250
[2]             156.0794     0.1500                           53.535
[3]             156.0794    16.5416    1.43875      94.91     53.556
[4]            -336.1392     3.7947                           53.499
[5]             125.3335    13.3476    1.43875      94.91     51.553
[6]             750.0000       可変                           50.741
[7]             122.9930    10.0000    1.76181      26.60     32.500
[8]            -273.6419     2.0000    1.48749      70.41     31.491
[9]             210.4922     6.4444                           29.457
[10]            269.2891     1.8050    1.72916      54.65     26.871
[11]            103.0816     4.1185                           25.778
[12]           -500.0000     1.7500    1.80420      46.48     25.721
[13]            111.9159     6.3505                           24.959
[14]            -98.2130     1.7500    1.80420      46.48     24.934
[15]            625.2000       可変                           25.334
[16]            465.1369     7.6163    1.48749      70.41     26.100
[17]            -71.1277     1.7500    1.80610      33.26     26.271
[18]           -113.0841     0.1500                           26.785
[19]            412.7936     3.2680    1.51680      64.17     27.065
[20]           -412.7936       可変                           27.096
[21]             58.8083     9.1038    1.49700      81.58     26.989
[22]          -1000.0000     9.3896                           26.620
[23]             48.5141     8.0000    1.77250      49.60     22.475
[24]             75.0349     2.6859                           20.471
[25]            800.0000     2.2000    1.80610      33.26     20.425
[26]             31.3253     6.0615    1.48749      70.41     18.464
[27]             65.7120     5.5293                           18.070
[28] 絞り             ∞     6.4018                           17.800
[29]             51.2844     8.9982    1.71300      53.92     18.041
[30]           1000.0000     5.0000                           17.221
[31]            783.5559     4.0396    1.80518      25.45     16.159
[32]            -59.9223     1.0000    1.48749      70.41     15.914
[33]             34.1863     4.9486                           14.580
[34]            -67.2391     1.0000    1.71300      53.92     14.573
[35]             51.7225     3.8000                           14.800
[36]             81.7594     6.1955    1.58144      40.87     16.007
[37]            -62.8921     0.1500                           16.300
[38]             65.3261     8.6524    1.48749      70.41     16.945
[39]            -39.7568     1.2000    1.83400      37.33     16.958
[40]            429.0088     0.1500                           17.448
[41]             60.9378     7.1269    1.54814      45.77     17.963
[42]            -78.0508     0.0000                           18.002
[43]            -78.0508     1.0000    1.77250      49.58     18.002
[44]           -999.9917         Bf                           18.133
[45] 像面             ∞
［全体諸元］
広角端       中間      望遠端
f             120.09      189.99      298.89
Fno             2.88        2.88        2.88
2ω             20.4        13.0         8.3
像高           21.63       21.63       21.63
レンズ全長    349.00      349.00      349.00
Bf             53.92       53.92       53.92
広角端       中間      望遠端
有限時     有限時      有限時
倍率           -0.025     -0.025      -0.025
［無限遠合焦時の可変間隔］
物面           広角端       中間      望遠端
d6             2.5055    42.3698     67.5041
d15           56.8754    36.4316      4.3828
d20           48.7261    29.3056     36.2235
［有限距離合焦時の可変間隔］
広角端       中間      望遠端
物面        4561.0001  7111.0012  11071.0003
d6             2.5055    42.3698     67.5041
d15           60.1311    41.5510     12.4474
d20           45.4704    24.1862     28.1589
［条件式対応値］
実施例１
条件式（１）      0.50
条件式（２）      0.81
条件式（３）      0.34
条件式（４）      0.97
条件式（５）      0.101
【実施例２】
【００４９】
（数値実施例２）
［レンズ諸元］
ｒ          ｄ        ｎｄ       νｄ     有効半径
[0] 物面              ∞       可変
[1]             292.8178     3.5000    1.80610      33.26     50.100
[2]             151.5152     0.1495                           49.510
[3]             151.5152    14.7105    1.43700      94.97     49.532
[4]            -325.9047     0.1500                           49.503
[5]             120.4737    11.2437    1.43700      94.97     48.324
[6]             750.0000       可変                           47.824
[7]             104.0988    10.0000    1.76181      26.60     31.150
[8]            -268.7154     2.0000    1.48749      70.41     29.970
[9]             199.7751     4.7738                           27.656
[10]            297.9797     1.8000    1.72916      54.65     25.810
[11]             89.2982     4.2314                           24.597
[12]           -500.0000     1.7500    1.80420      46.48     24.545
[13]             99.8363     6.4189                           23.826
[14]            -89.1845     1.7500    1.80420      46.48     23.811
[15]            625.2000       可変                           24.327
[16]            339.3872     8.6674    1.48749      70.41     25.750
[17]            -59.6578     1.7500    1.80610      33.26     25.930
[18]            -90.2310     0.1500                           26.550
[19]            404.6570     3.2553    1.51680      64.17     26.868
[20]           -404.6570       可変                           26.895
[21]             57.6215     9.0437    1.49700      81.58     26.713
[22]          -1000.0000     8.1656                           26.352
[23]             49.6025     7.5813    1.77250      49.60     22.547
[24]             82.3686     2.4692                           20.752
[25]            800.0000     1.7000    1.80610      33.26     20.714
[26]             31.0397     7.5020    1.48749      70.41     18.751
[27]             74.6677     8.1217                           18.208
[28] 絞り             ∞     9.3712                           17.550
[29]             55.8033     6.0288    1.71300      53.92     16.313
[30]           1000.0000     5.0000                           15.620
[31]            376.9684     4.0519    1.80518      25.45     15.385
[32]            -56.2108     1.0000    1.48749      70.41     15.253
[33]             36.2888     4.7557                           14.266
[34]            -62.6446     1.0000    1.71300      53.92     14.259
[35]             48.0419     3.8000                           14.687
[36]             81.4835     6.1485    1.58144      40.87     15.802
[37]            -62.6575     0.1500                           16.200
[38]             66.9199     8.6792    1.48749      70.41     16.776
[39]            -39.0249     1.2000    1.83400      37.33     16.792
[40]            179.7853     0.1500                           17.334
[41]             60.2117     5.2736    1.54072      47.18     17.862
[42]          -1000.0000         Bf                           17.980
[43] 像面             ∞
［全体諸元］
広角端       中間     望遠端
f             123.60     189.83     291.00
Fno             2.92       2.92       2.92
2ω             19.9       13.0        8.5
像高           21.63      21.63      21.63
レンズ全長    330.00     330.00     330.00
Bf             55.25      55.25      55.25
広角端       中間     望遠端
有限時     有限時     有限時
倍率          -0.025     -0.025     -0.025
［無限遠合焦時の可変間隔］
物面          広角端       中間     望遠端
d6            2.4930    41.7969    67.4930
d15          41.3847    26.6891     4.1344
d20          53.3807    28.7724    25.6310
［有限距離合焦時の可変間隔］
広角端       中間     望遠端
物面       4740.0026  7190.0029 10900.0031
d6            2.4930    41.7969    67.4930
d15          43.6223    30.0982     9.3627
d20          51.1431    25.3633    20.4027
［条件式対応値］
実施例２
条件式（１）      0.52
条件式（２）      0.57
条件式（３）      0.35
条件式（４）      0.80
条件式（５）      0.106
【実施例３】
【００５０】
（数値実施例３）
［レンズ諸元］
ｒ          ｄ        ｎｄ       νｄ     有効半径
[0] 物面              ∞       可変
[1]             284.5779     3.5000    1.80610      33.26     50.580
[2]             151.5152     0.1500                           49.982
[3]             151.5152    15.0715    1.43700      94.97     50.004
[4]            -328.3181     0.1500                           49.970
[5]             123.5873    11.9766    1.43700      94.97     48.767
[6]             750.0000       可変                           48.114
[7]              87.8574     8.8817    1.72825      28.31     31.150
[8]            -285.8370     2.0000    1.48749      70.41     30.592
[9]             155.9218     4.2568                           27.955
[10]            181.7078     1.8000    1.72916      54.65     26.223
[11]             77.0570     4.9391                           24.902
[12]           -500.0000     1.7500    1.80420      46.48     24.842
[13]             94.0528     6.7868                           24.039
[14]            -88.4915     1.7500    1.80420      46.48     24.021
[15]            625.2000       可変                           24.551
[16]           1449.3921     7.5791    1.48749      70.41     25.750
[17]            -64.4790     1.7500    1.80610      33.26     25.996
[18]            -96.1139     0.1500                           26.632
[19]            415.0296     3.2716    1.77250      49.60     27.119
[20]           -415.0296       可変                           27.162
[21]             62.5636     8.7437    1.49700      81.58     27.144
[22]          -1000.0000     2.3473                           26.801
[23]             55.2587     6.1451    1.77250      49.60     24.652
[24]            104.6362     5.3055                           23.574
[25]            800.0000     2.2000    1.80610      33.26     22.232
[26]             32.7648     9.6279    1.48749      70.41     20.036
[27]            286.1770    11.0756                           19.512
[28] 絞り             ∞     1.0000                           17.500
[29]            131.8358    11.4002    1.77250      49.60     17.308
[30]            -64.2423     2.9998    1.58144      40.87     16.430
[31]           1000.0000     5.0000                           15.620
[32]           -830.9567     4.5080    1.84666      23.77     15.040
[33]            -38.2441     1.0000    1.72916      54.65     14.885
[34]             44.5989     3.1686                           14.180
[35]           -167.7588     1.0000    1.77250      49.60     14.199
[36]             48.5700     3.8000                           14.505
[37]            130.4915     4.6478    1.62004      36.29     15.287
[38]           -100.3742     0.1500                           15.804
[39]             54.4957     8.5227    1.48749      70.41     16.763
[40]            -46.9695     2.0000    1.83400      37.33     16.883
[41]           -993.1816     0.1500                           17.416
[42]             71.4890     6.8268    1.54072      47.18     17.888
[43]          -1000.0000         Bf                           17.992
[44] 像面             ∞
［全体諸元］
広角端       中間     望遠端
f              123.60     189.95     290.96
Fno              2.87       2.88       2.88
2ω              19.9       13.0        8.5
像高            21.63      21.63      21.63
レンズ全長     330.00     330.00     330.00
Bf              54.55      54.55      54.55
広角端       中間     望遠端
有限時     有限時     有限時
倍率           -0.025     -0.025     -0.025
［無限遠合焦時の可変間隔］
物面           広角端       中間     望遠端
d6             2.5013    41.8580    67.4987
d15           42.0004    27.3152     4.8571
d20           53.5634    28.8920    25.7094
［有限距離合焦時の可変間隔］
広角端       中間     望遠端
物面        4740.0005  7189.9995 10895.0014
d6             2.5013    41.8580    67.4987
d15           44.2526    30.7513    10.1219
d20           51.3112    25.4559    20.4446
［条件式対応値］
実施例３
条件式（１）      0.52
条件式（２）      0.57
条件式（３）      0.35
条件式（４）      0.47
条件式（５）      0.096
【実施例４】
【００５１】
（数値実施例４）
［レンズ諸元］
ｒ          ｄ        ｎｄ       νｄ     有効半径
[0] 物面              ∞       可変
[1]             300.4123     3.5000    1.80610      33.26     50.350
[2]             151.5152     0.1500                           49.771
[3]             151.6094    15.0279    1.43700      94.97     49.793
[4]            -374.8320     0.1500                           49.771
[5]             129.4694    12.4247    1.43700      94.97     48.875
[6]            2568.1421       可変                           48.318
[7]             172.6116     6.5376    1.84666      23.77     33.000
[8]            -235.1863     2.0000    1.59282      68.60     32.693
[9]             199.6958     9.2554                           30.277
[10]          -2389.2069     1.9995    1.83481      42.70     27.197
[11]            151.1548     3.6915                           26.394
[12]           -297.1796     1.9000    1.77250      49.60     26.358
[13]            143.3794     5.2034                           26.024
[14]           -117.8445     1.8000    1.80420      46.48     26.021
[15]           -521.0035       可変                           26.501
[16]           1628.1154     7.5203    1.48749      70.41     27.500
[17]            -72.5135     2.0000    1.84666      23.77     27.686
[18]           -123.9958     0.1500                           28.367
[19]            625.5395     3.4794    1.80610      33.26     28.783
[20]           -314.8670       可変                           28.836
[21]             54.9526     8.5125    1.49700      81.58     28.587
[22]            268.9156    15.9481                           28.202
[23]             61.7933     3.6738    1.71300      53.92     23.590
[24]            108.2323     0.1500                           23.126
[25]             39.7817     8.2380    1.49700      81.58     21.598
[26]           -575.2813     1.8000    1.80610      33.26     20.911
[27]             34.1941     8.2464                           18.212
[28] 絞り             ∞     1.2500                           17.700
[29]             62.7426    10.7656    1.80610      40.72     17.652
[30]            372.5272     3.9844                           16.566
[31]            467.6337     4.6491    1.84666      23.77     16.229
[32]            -46.8759     1.0000    1.77250      49.60     16.054
[33]             49.6778     2.8504                           15.208
[34]           -398.9256     1.0000    1.72916      54.65     15.208
[35]             45.7726     3.8375                           15.281
[36]             63.5378     5.8467    1.49700      81.58     15.956
[37]            -64.2208     6.9153                           16.153
[38]            -38.1330     1.3000    1.83481      42.70     16.371
[39]            -64.6390     0.1500                           17.003
[40]             80.5206     5.2222    1.54072      47.18     17.889
[41]           -228.5017         Bf                           18.000
[42] 像面             ∞
［全体諸元］
広角端       中間     望遠端
f              123.66     190.00     290.87
Fno              2.89       2.89       2.89
2ω              19.8       13.0        8.5
像高            21.63      21.63      21.63
レンズ全長     330.00     330.00     330.00
Bf              55.00      55.00      55.00
広角端       中間     望遠端
有限時     有限時     有限時
倍率           -0.025     -0.025     -0.025
［無限遠合焦時の可変間隔］
物面           広角端       中間     望遠端
d6             2.5000    41.9170    67.5312
d15           51.6981    31.8737     1.6027
d20           48.6699    29.0774    33.7341
［有限距離合焦時の可変間隔］
広角端        中間     望遠端
物面       4730.0000   7170.0000 10870.0000
d6            2.5000     41.9170    67.5312
d15          54.8304     36.6634     8.9385
d20          45.5376     24.2877    26.3983
［条件式対応値］
実施例４
条件式（１）      0.55
条件式（２）      0.77
条件式（３）      0.35
条件式（４）      0.60
条件式（５）      0.113
【実施例５】
【００５２】
（数値実施例５）
［レンズ諸元］
ｒ          ｄ        ｎｄ       νｄ     有効半径
[0] 物面              ∞       可変
[1]             296.1563     3.5000    1.80610      33.26     49.950
[2]             151.5152     0.1500                           49.371
[3]             151.5152    14.5835    1.43700      94.97     49.394
[4]            -323.1248     0.1500                           49.373
[5]             121.9843    11.1548    1.43700      94.97     48.261
[6]             816.7428       可変                           47.784
[7]             106.1720     9.7057    1.76181      26.60     31.180
[8]            -241.5127     2.0000    1.48749      70.41     30.143
[9]             169.1358     4.4143                           27.786
[10]            269.5277     1.8000    1.72916      54.65     26.258
[11]             93.0684     4.2351                           25.103
[12]           -465.2950     1.7500    1.80420      46.48     25.070
[13]            109.5567     5.9810                           24.370
[14]            -95.1590     1.7500    1.80420      46.48     24.366
[15]            422.3129       可変                           24.839
[16]            335.5392     8.4477    1.48749      70.41     26.000
[17]            -61.4768     1.7500    1.80610      33.26     26.170
[18]            -94.9507     0.1500                           26.800
[19]            407.3899     3.2390    1.51680      64.17     27.144
[20]           -407.3899       可変                           27.177
[21]             59.0520     9.0346    1.49700      81.58     27.197
[22]           -859.0671     8.2482                           26.866
[23]             49.7493     8.0000    1.77250      49.60     22.979
[24]             83.0967     2.4272                           21.068
[25]            661.9343     2.2000    1.80610      33.26     21.046
[26]             30.9722     7.4489    1.48749      70.41     18.899
[27]             72.1770     8.1747                           18.353
[28] 絞り             ∞     9.3966                           17.700
[29]             54.6204     6.0034    1.71300      53.92     16.480
[30]           1000.0000     5.0000                           15.900
[31]            514.6967     4.0140    1.80518      25.45     15.614
[32]            -55.3320     1.0000    1.48749      70.41     15.484
[33]             37.4105     4.7078                           14.456
[34]            -63.8576     1.0000    1.71300      53.92     14.448
[35]             47.0346     3.8000                           14.786
[36]             82.0066     6.1165    1.58144      40.87     15.806
[37]            -63.0820     0.1500                           16.200
[38]             68.7019     8.2426    1.48749      70.41     16.797
[39]            -39.1070     1.2000    1.83400      37.33     16.814
[40]            172.0806     0.1500                           17.368
[41]             59.8680     5.3635    1.54072      47.18     17.908
[42]           -672.9107         Bf                           18.031
[43] 像面             ∞
［全体諸元］
広角端       中間     望遠端
f              123.75     189.94     289.47
Fno              2.90       2.90       2.90
2ω              19.8       13.0        8.5
像高            21.63      21.63      21.63
レンズ全長     330.00     330.00      33.00
Bf              55.27      55.27      55.27
広角端       中間     望遠端
有限時     有限時     有限時
倍率           -0.025     -0.025     -0.025
［無限遠合焦時の可変間隔］
物面           広角端       中間     望遠端
d6             2.4995    41.9003    67.4995
d15           42.9416    27.5915     4.3462
d20           52.8452    28.7945    26.4406
［有限距離合焦時の可変間隔］
広角端       中間     望遠端
物面        4760.0000  7190.0000 10865.0000
d6             2.4995    41.9003    67.4995
d15           45.2866    31.1669     9.7846
d20           50.5003    25.2191    21.0022
［条件式対応値］
実施例５
条件式（１）      0.52
条件式（２）      0.59
条件式（３）      0.35
条件式（４）      0.79
条件式（５）      0.106
【符号の説明】
【００５３】
Ｌ１  第１レンズ群
Ｌ２  第２レンズ群
Ｌ３  第３レンズ群
Ｌ４  第４レンズ群
Ｌ４Ａ  第４レンズ群前群
Ｌ４Ｂ  第４レンズ群中群
Ｌ４Ｃ  第４レンズ群後群
Ｌ４Ａ１  第４レンズ群前群Ｌ４Ａの開口絞りＳＰよりも物体側のレンズ群
Ｌ４Ａ２  第４レンズ群前群Ｌ４Ａの開口絞りＳＰよりも像側のレンズ群
ＳＰ  開口絞り
ＩＰ  像面
ｄ  ｄ線
ｇ  ｇ線
Ｃ  Ｃ線
ΔＳ  サジタル像面
ΔＭ  メリジオナル像面
【図１】
0005658498.tif 000002
【図２】
0005658498.tif 000003
【図３】
0005658498.tif 000004
【図４】
0005658498.tif 000005
【図５】
0005658498.tif 000006
【図６】
0005658498.tif 000007
【図７】
0005658498.tif 000008
【図８】
0005658498.tif 000009
【図９】
0005658498.tif 000010
【図１０】
0005658498.tif 000011
【図１１】
0005658498.tif 000012
【図１２】
0005658498.tif 000013
【図１３】
0005658498.tif 000014
【図１４】
0005658498.tif 000015
【図１５】
0005658498.tif 000016
【図１６】
0005658498.tif 000017
【図１７】
0005658498.tif 000018
【図１８】
0005658498.tif 000019
【図１９】
0005658498.tif 000020
【図２０】
0005658498.tif 000021
【図２１】
0005658498.tif 000022
【図２２】
0005658498.tif 000023
【図２３】
0005658498.tif 000024
【図２４】
0005658498.tif 000025
【図２５】
0005658498.tif 000026
【図２６】
0005658498.tif 000027
【図２７】
0005658498.tif 000028
【図２８】
0005658498.tif 000029
【図２９】
0005658498.tif 000030
【図３０】
0005658498.tif 000031
【図３１】
0005658498.tif 000032
【図３２】
0005658498.tif 000033
【図３３】
0005658498.tif 000034
【図３４】
0005658498.tif 000035
【図３５】
0005658498.tif 000036
【図３６】
0005658498.tif 000037
【図３７】
0005658498.tif 000038
【図３８】
0005658498.tif 000039
【図３９】
0005658498.tif 000040
【図４０】
0005658498.tif 000041
【図４１】
0005658498.tif 000042
【図４２】
0005658498.tif 000043
【図４３】
0005658498.tif 000044
【図４４】
0005658498.tif 000045
【図４５】
0005658498.tif 000046
【図４６】
0005658498.tif 000047
【図４７】
0005658498.tif 000048
【図４８】
0005658498.tif 000049
【図４９】
0005658498.tif 000050
【図５０】
0005658498.tif 000051